【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
音声信号(audio signal)の少なくとも１つの音響的特徴(acousticfeature)を修正するための方法であって、
第１の及び第２のサンプルされた音声信号を比較して、当該第２の信号における時間に依存する特徴の発生の時間と、当該第１の信号における時間に依存する特徴の発生の時間の間のタイミング差から時間整列データを決定し、
前記第１の信号に沿った選択された位置において、前記第１の信号の少なくとも１つの音響的特徴を測定して、そこから、第１の信号特徴測定のシーケンスを生成し、
第１の信号特徴測定の前記シーケンスを処理して、特徴修正データのシーケンスを生成し、そして、
特徴修正データの前記シーケンスを、前記第２の信号に適用して、前記時間整列データによって、前記第２の信号の選択された部分の少なくとも１つの音響的特徴を修正する、ステップを含む方法。
【請求項２】
前記方法が、
前記第２の信号に沿った選択された位置において、前記第２の信号の前記少なくとも１つの音響的特徴を測定して、そこから、第２の信号特徴測定のシーケンスを生成するステップを含み、
第１の信号測定の前記シーケンスを処理するステップが、前記第１の信号特徴測定を、前記第２の信号特徴測定と比較し、そのような比較から前記特徴修正データを決定することを含む、
請求項１に記載の方法。
【請求項３】
前記特徴修正データを適用する前記ステップが、前記時間整列データを用いて、前記第２のサンプルされた信号から、時間整列された第２の信号を生成し、前記特徴修正データを、当該時間整列された第２の信号に適用するステップを含む、請求項１又は２に記載の方法。
【請求項４】
前記処理ステップが、前記第１の信号特徴測定で、前記時間整列されたデータを用いて、前記第２の信号特徴測定との時間整列において前記特徴修正データを生成するステップを含む、請求項２又は３に記載の方法。
【請求項５】
前記特徴修正データを適用するステップが、所定の関数に従って、前記特徴修正データを変更(modulating)して、前記特徴修正データと前記所定の関数との共同(jointly)によって、前記第２の信号の前記選択された部分の前記少なくとも１つの音響的特徴を修正することを含む、以上のいずれかの請求項に記載の方法。
【請求項６】
前記第１の信号の前記少なくとも１つの音響的特徴がピッチである、以上のいずれかの請求項に記載の方法。
【請求項７】
前記第２の信号の前記少なくとも１つの音響的特徴がピッチである、以上のいずれかの請求項に記載の方法。
【請求項８】
前記第１の及び第２の信号の前記時間に従属する特徴が、サンプルされたスペクトラル・エネルギー測定である、以上のいずれかの請求項に記載の方法。
【請求項９】
前記第１の信号の前記少なくとも１つの音響的特徴がピッチであり、前記第２の信号の前記少なくとも１つの音響的特徴がピッチであり、
前記処理ステップが、前記第１の信号のピッチ測定と、前記第２の信号の時間整列されたピッチ測定の比率の値から、乗算ファクターを決定して、当該ファクターを、前記特徴修正データを適用する前記ステップに含ませて、前記修正され選択された信号部分内の前記第２の信号においてピッチ変化の周波数範囲をシフトする、ステップを含む、
請求項１に記載の方法。
【請求項１０】
２のべき乗(a power of two)だけ前記乗算ファクターをスケーリングして、前記２のべき乗の選択に従って、前記修正され選択された信号部分におけるピッチを変更するステップを更に含む、
請求項９に記載の方法。
【請求項１１】
前記第２の信号に沿った、選択された位置で測定する前記ステップが、
前記時間整列データを用いて、前記第２のサンプルされた信号から、時間整列された第２の信号であって、当該第２の信号内に、前記第２のサンプルされた信号の前記時間に依存する特徴の発生の時間(times)が、前記第１のサンプルされた信号における前記時間に依存する特徴の発生の時間と実質的に一致する、当該第２の信号を生成するステップを含み、
前記時間整列された第２の信号に沿った位置での前記時間整列された第２の信号における前記少なくとも１つの音響的特徴の測定が、前記第１のサンプルされた信号に沿った前記選択された位置と、タイミングにおいて関連するように選択される、
請求項２に記載の方法。
【請求項１２】
前記第１のサンプルされた信号の前記少なくとも１つの音響的特徴がピッチであり、
前記第２のサンプルされた信号の前記少なくとも１つの音響的特徴がピッチであり、
前記特徴修正データを適用する前記ステップが、
前記時間整列されたデータを用いて、前記第２のサンプルされた信号から、時間整列された第２の信号を生成して、前記特徴修正データを、前記時間整列された第２の信号に適用して、ピッチ修正され時間整列された第２の信号を生成するステップを含む、
請求項２に記載の方法。
【請求項１３】
前記特徴修正データを適用する前記ステップが、
所定の関数に従って、前記特徴修正データを変更して、前記特徴修正データと前記所定の関数の共同によって、前記第２の信号の前記選択された部分におけるピッチを修正することを含む、
請求項１２に記載の方法。
【請求項１４】
前記所定の関数が、前記第１のサンプルされた信号におけるピッチ測定と、前記第２のサンプルされた信号に沿った前記第２のサンプルされた信号における対応するピッチ測定の比率の前記値の関数である、請求項１３に記載の方法。
【請求項１５】
第１の及び第２のサンプルされた音声信号を比較して、前記第２の信号における時間に従属する特徴の発生の時間と、前記第１の信号における時間に依存する特徴の発生の時間の間のタイミング差から、時間整列データを決定するための手段、
前記第１の信号に沿った、選択された位置において、前記第１の信号の少なくとも１つの音響的特徴を測定して、そこから、第１の信号特徴測定のシーケンスを生成するための手段、
第１の信号特徴測定の前記シーケンスを処理して、特徴修正データのシーケンスを生成するための手段、及び、
特徴修正データの前記シーケンスを、前記第２の信号に適用して、前記時間整列されたデータに従って、前記第２の信号の選択された位置の少なくとも１つの音響的特徴を修正するための手段、
を備える、音声信号の少なくとも１つの音響的特徴を修正するための装置。
【請求項１６】
前記第２の信号に沿った、選択された位置において、前記第２の信号の前記少なくとも１つの音響的特徴を測定して、そこから、第２の信号特徴測定のシーケンスを生成するための手段を更に備え、
第１の信号測定の前記シーケンスを処理するための手段が、前記第１の信号特徴測定を、前記第２の信号特徴測定と比較して、そのような比較から、前記特徴修正データを決定するための手段を含む、請求項１５に記載の装置。
【請求項１７】
前記特徴修正データを適用するための前記手段が、前記時間整列データを使用して、前記第２のサンプルされた信号から、時間整列された第２の信号を生成し、前記特徴修正データを、前記時間整列された第２の信号に適用するための手段を含む、
請求項１５又は１６に記載の装置。
【請求項１８】
前記処理手段が、前記第１の信号特徴測定について前記時間整列データを使用して、前記第２の信号特徴測定と時間整列した前記特徴修正データを生成するための手段を含み、請求項１６又は１７に記載の装置。
【請求項１９】
前記特徴修正データを適用するための前記手段が、所定の関数に従って、前記特徴修正データを変更(modulating)して、前記特徴修正データと前記所定の関数の共同によって、前記第２の信号の前記選択された部分の前記少なくとも１つの音響的特徴を修正するための手段を含む、請求項１５に記載の装置。
【請求項２０】
前記第１の信号の前記少なくとも１つの音響的特徴がピッチである、請求項１５に記載の装置。
【請求項２１】
前記第２の信号の前記少なくとも１つの音響的特徴がピッチである、請求項１５に記載の装置。
【請求項２２】
前記第１の及び第２の信号の前記時間に従属する特徴が、サンプルされたスペクトラル・エネルギー測定である、請求項１５に記載の装置。
【請求項２３】
前記第１の信号の前記少なくとも１つの音響的特徴がピッチであり、
前記第２の信号の前記少なくとも１つの音響的特徴がピッチであり、
前記処理手段が、前記第１の信号のピッチ測定と、前記第２の信号の時間整列されたピッチ測定の比率の値から、乗算ファクターを決定して、前記特徴修正データの適用に前記ファクターを含ませて、前記修正され選択された信号部分の前記第２の信号におけるピッチ変化の周波数範囲をシフトさせるための手段を含む、
請求項１５に記載の装置。
【請求項２４】
２のべき乗によって前記乗算ファクターをスケーリングして、当該２のべき乗の選択に従って、前記第２の修正され、選択された信号部分におけるピッチを変更するための手段を更に含む、請求項２３に記載の装置。
【請求項２５】
前記第２の信号に沿った選択された部分において測定するための前記手段が、
前記時間整列データを使用して、前記第２のサンプルされた信号から、時間整列された第２の信号であって、当該第２の信号内で、前記第２のサンプルされた信号の前記時間に従属する特徴の発生の時間が、実質的に、前記第１のサンプルされた信号における前記時間に従属する特徴の発生の時間と一致する、当該第２の信号を生成するための手段を含み、  前記時間整列された第２の信号に沿った位置での、前記時間整列された第２の信号における前記少なくとも１つの音響的特徴を測定するための手段が、タイミング的に、前記第１のサンプルされた信号に沿った、前記選択された位置と関連するように選択される、
請求項１６に記載の装置。
【請求項２６】
タイミング的に関連するように選択された前記位置が、実質的に、タイミング的に、前記第１のサンプルされた信号に沿った、前記選択された位置と一致する、請求項２５に記載の装置。
【請求項２７】
前記第１のサンプルされた信号の前記少なくとも１つの音響的特徴がピッチであり、
前記第２のサンプルされた信号の前記少なくとも１つの音響的特徴がピッチであり、
前記特徴修正データを適用するための前記手段が、
前記時間整列データを使用して、前記第２のサンプルされた信号から、時間整列された第２の信号を生成して、前記特徴修正データを、前記時間整列された第２の信号に適用して、ピッチ修正され時間整列された第２の信号を生成するための手段を含む、
請求項１６に記載の装置。
【請求項２８】
前記特徴修正データを適用するための手段が、
前記特徴修正データと、前記所定の関数の共同によって、前記第２の信号の前記選択された部分におけるピッチを修正するように、所定の関数に従って、前記特徴修正データを変更するための手段を含む、請求項２７に記載の装置。
【請求項２９】
前記所定の関数が、前記第１のサンプルされた信号におけるピッチ測定と、前記第２のサンプルされた信号に沿った前記第２のサンプルされた信号における対応するピッチ測定の、前記比率の前記値の関数である、請求項２８に記載の装置。